(57)【特許請求の範囲】
【請求項１】
ほぼ立方形の筐体内に上位室と下位室とを区画する仕切り板と、
前記下位室の床板上に軸心の延長線がそれぞれほぼ鉛直になるように設けられた複数の振動吸収手段と、
前記振動吸収手段を介して前記床板上に設けられた基台と、
前記基台の上面に固定された枠部材にモータ軸が上向き傾斜するように設けられた高速モータと、
前記モータ軸に設けられたブレーキ手段と、
前記上位室内に設けられた回転篭の下面の中心軸と前記モータ軸とを連結する連結手段と、
前記回転篭の上面に設けられたネル袋の投入口に対応するように前記筐体に設けられた開閉蓋と、
前記開閉蓋の開閉又は前記筐体に設けられたスイッチの作動に連動して前記高速モータの起動及び停止を制御する制御手段と
を有し、
前記振動吸収手段は、
前記高速モータに対して、回転により生じる振動を吸収し、
前記回転篭は、
重心が前記振動吸収手段それぞれの鉛直線で囲まれる領域の外側にあること
を特徴とするコーヒーネル袋用脱水機。
【請求項２】
前記仕切り板が、前記回転篭から脱水された水滴の傾斜受け板と、該傾斜受け板を流下した水滴の排水手段を有する貯水室になっていることを特徴とする請求項１に記載のコーヒーネル袋用脱水機。
【請求項３】
前記振動吸収手段が、ゴム管と、該ゴム管の両端に嵌入した取付部材と、該取付部材間に突っ張り状態で介装したコイルバネとからなることを特徴とする請求項１又は２に記載のコーヒーネル袋用脱水機。
【発明の詳細な説明】
【技術分野】
【０００１】
本発明は、ネルドリップ式のコーヒー抽出に使用するネル袋を、先の抽出に使用したコーヒー滓を除去し、揉み洗い（洗剤を使わない）して次の抽出に直ぐに使えるようにしたコーヒーネル袋用脱水機に関するものである。
【背景技術】
【０００２】
一般に、ネルドリップ式のコーヒー抽出に採用されているネル袋は、ネル（羊毛織布）を袋状に縫製したもので、最近では綿織布もネル袋として用いられている。このネル袋でコーヒー粉をドリップしたコーヒーの味はすこぶる「うまい」と言われているが、ネル袋の手入れに困難さがあった。すなわち、味に影響する先の抽出時に残っているコーヒー滓を除去し、洗剤を使わないで揉み洗いにより「のり」を完全に落とすことが必要である上に半渇き状態にしなければ使用できない。
【０００３】
特に客の多い店では１日のうちに数回ネル袋を使い回す必要があるが、かかる場合には揉み洗い後のネル袋を良く絞って半渇き状態にして再使用するが、これには大人の男性の力で水滴が出なくなる程度によく絞ることが必須であり、女性店員や力の弱い男性店員には大きな負担となっていた。この絞り作業は本発明者が先に提案した特許２５１５６６３号の回転脱水装置を用いれば揉み洗い後のネル袋をたちどころに半渇き状態に絞ることは容易である。
【特許文献１】特許２５１５６６３号
【発明の開示】
【発明が解決しようとする課題】
【０００４】
しかしながら、上記特許文献１に記載の回転脱水装置は、例えば、スイミングクラブなどの施設に設置され、濡れたスイミングパンツやスイミングスーツやスイミングキャップなどを瞬時に半渇き状態にすることができるが、人が立ったまま操作できるように筐体の背の高さが１ｍぐらいに作られていた。したがって、この高さのものをそのまま店のカウンター上や流し台上或いは隣接テーブル上に置いてネル袋の絞りには高すぎて使い勝手が悪かった。
【０００５】
本発明は、上記課題を解決するためのもので、その目的とするところは、ネルドリップ式のコーヒー抽出に使用するネル袋を、先の抽出時に残留したコーヒー滓を除去するとともに揉み洗いし「のり」を除去した後のネル袋を直ぐに使えるように半渇き状態に絞れるようにしたコーヒーネル袋用脱水機を提供することにある。
【０００６】
上記目的を達成するため、本発明に係るコーヒーネル袋用脱水機は、ほぼ立方形の筐体内に上位室と下位室とを区画する仕切り板と、前記下位室の床板上に軸心の延長線がそれぞれほぼ鉛直になるように設けられた複数の振動吸収手段と、前記振動吸収手段を介して前記床板上に設けられた基台と、前記基台の上面に固定された枠部材にモータ軸が上向き傾斜するように設けられた高速モータと、前記モータ軸に設けられたブレーキ手段と、前記上位室内に設けられた回転篭の下面の中心軸と前記モータ軸とを連結する連結手段と、前記回転篭の上面に設けられたネル袋の投入口に対応するように前記筐体に設けられた開閉蓋と、前記開閉蓋の開閉又は前記筐体に設けられたスイッチの作動に連動して前記高速モータの起動及び停止を制御する制御手段とを有し、前記振動吸収手段は、前記高速モータに対して、回転により生じる振動を吸収し、前記回転篭は、重心が前記振動吸収手段それぞれの鉛直線で囲まれる領域の外側にあることを特徴とする。
【０００７】
また、請求項２に記載のコーヒーネル袋用脱水機は、前記仕切り板が、前記回転篭から脱水された水滴の傾斜受け板と、該傾斜受け板を流下した水滴の排水手段を有する貯水室になっているものである。
【０００８】
さらに、請求項３に記載のコーヒーネル袋用脱水機は、前記振動吸収手段が、ゴム管と、該ゴム管の両端に嵌入した取付部材と、該取付部材間に突っ張り状態で介装したコイルバネとからなるものである。
【発明の効果】
【０００９】
本発明によれば、高速モータのモータ軸を上向き傾斜に設置し、高速モータからネル袋を投入できる回転篭までの高さを抑え筐体の背の高さを低くしたから、店のカウンター上や流し台上或いは隣接テーブル上などに設置して使い勝手がよいとともにコーヒーを喫するスペースとなるカウンター上に設置したとしてもカウンター席の者に振動を伝えることがないし、コーヒーカップなどの食器を鳴らすこともないという優れた効果を奏するものである。
【００１０】
また、請求項２に係る発明によれば、ネル袋を絞ったときに出る水滴を一カ所に集めて筐体内に取り外し可能に設置した収容タンクに繋げることも、既設の排水設備に繋げる水処理が容易にできるという優れた効果を奏するものである。
【００１１】
さらに、請求項３に係る発明によれば、横揺れも縦揺れも確実に吸収でき、例えば、店のカウンター上に設置しても、該カウンター上に置いたコーヒーカップを振動により鳴らすことも客に振動を伝えて不愉快な想いをさせる虞もないという優れた効果を奏するものである。
【発明を実施するための最良の形態】
【００１２】
次に、本発明の実施の態様について図面を参照して説明する。図１は本願機内を示す側面断面図、図２は基台上に固定した枠部材の斜視図、図３は振動吸収手段を示す拡大断面図、図４は開閉蓋を示す筐体の外観斜視図である。
【００１３】
本願機１は、図１の如く、ほぼ立方形の筐体２内に備えられている。該筐体２内には上位室３と下位室４とを仕切り板５で区画している。前記下位室４の床板４′上には振動吸収手段６を介して基台７が設けられている。前記振動吸収手段６は、図２の如く、前記基台７を３点支持しているが、該３点支持には限らない。該筐体２の底部下の角部には脚部材２′が設けられている。勿論、図示していないが、キャスターを設けて移動可能にすることも可能である。
【００１４】
前記基台７の上面には、高速モータ８を設置した枠部材９が斜状に固定（溶接など）されている。該枠部材９に設置された前記高速モータ８はそのモータ軸１１が、枠部材９の頂面に設けた透孔１０を通して上向き傾斜するように延びている。
【００１５】
前記振動吸収手段６は、図３の如く、ゴム管６ａと、該ゴム管６ａの両端に嵌入固定した取付部材６ｂ、６ｂ′と、該取付部材６ｂ、６ｂ′間に介装したコイルバネ６ｃとからなり、横振動にはゴム管６ａが対応し、縦振動にはコイルバネ６ｃが対応できるようになっている。前記取付部材６ｂ、６ｂ′には、それぞれ外向きに２個の突起６ｄ、６ｄ′が突設され、基台７及びに下位室４の床板４′の対応位置に設けた穴に嵌入できるようになっている。
【００１６】
前記モータ軸１１の先端部には、連結手段１２を介して前記上位室３側から回転篭１３の下面から突設された中心軸１４が連結されている。この連結手段１２の筒部分には中心軸１４とモータ軸１１とを締込み固定できるようになっている。
【００１７】
前記回転篭１３は、前述の如く瞬時に高速回転させるためにバランスのとれた形状になっている。実施例ではステンレス製の鍔付き凹状体の側面に多数の水切り穴１５が形成されている（図示では側面を網状になっている）。該回転篭１３の回転時に安定回転をさせるため、その鍔部１６の裏面側にバランスをとる錘１７を設置している。
【００１８】
前記回転篭１３の上面にはネル袋Ｎの投入口１８が開口している。該投入口１８に対応する前記筐体２の上面傾斜部２″には前記投入口１８に対応する開口部１９が設けられている。該開口部１９には開閉蓋２０が蝶番２１を介して開閉自在に設けている。該開閉蓋２０の張出片２０′は前記筐体２の前面に沿って並行に垂下し、筐体側の吸着体２０″に吸着するようになっている。前記張出片２０′は前記開閉蓋２０の開閉時の把手となるようになっている。なお、前記開閉蓋２０は図示の場合には上下方向に開閉できるようになっているが、横方向に開閉できるように構成してもよい。
【００１９】
前記モータ軸１１にはブレーキ手段２２が設けられている。該ブレーキ手段２２は前記モータ軸１１に固定した摩擦板２２ａと、ソレノイド（電磁石）２２ｂと、該ソレノイド２２ｂへの通電時に摩擦板２２ａに接する圧接板２２ｃと、該圧接板２２ｃを旧位に復帰させるバネ（図示せず）とを備える。該ブレーキ手段２２は、前記高速モータ８の通電をカットしたときにトップスピードで回転させている回転篭１３に急ブレーキを掛けて即時に停止させることができるように設計されている。
【００２０】
前記高速モータ８は、前記筐体２の前面に設けたスイッチ２３を押すことにより起動するとともに、該起動から一定時間（５〜１０秒）を経過すると自動的に停止するように制御手段２４により制御されている。前記高速モータ８の起動は、瞬時（直ぐに）トップスピード（３，０００／分以上）になるように設計されている。また、前記制御手段２４は、図示していないが、前記開閉蓋２０の開閉に連動して前記高速モータ８を起動及び停止できるように制御させることも可能である。前記開閉蓋２０の開閉又は筐体２の前面に設けたスイッチ２３の作用は、メーンスイッチ２５を閉じ（通電しておく）ことが前提となることは勿論である。
【００２１】
前記上位室３と下位室４との仕切り板５は、前記回転篭１３から脱水された水滴の傾斜受け板５ａと、該傾斜受け板５ａを流下した水滴を貯留する貯水室５ｂとして利用している。該傾斜受け板５ａは前記モータ軸１１に対してほぼ直交している。また、前記貯水室５ｂには貯留された水の排出管５ｃを備えている。該排出管５ｃは前記筐体２の底面上に取り出し可能に設置した収容タンク２６に繋げられている。勿論、前記排出管５ｃには延長ホース（図示せず）を延長し、筐体２の両側面に設けた穴２７の一方から外出させ、既設の排水設備（図示せず）に繋げるようにしてもよい。
【００２２】
次に、店のカウンター（コーヒーを喫するスペースに使っている）上に本願機１をセットした場合の作用について説明する。まず、メーンスイッチ２５を閉じて操作を開始する。次に、ネルドリップ式のコーヒー抽出に使用するネル袋Ｎを、先の抽出時に残留したコーヒー滓を除去し、揉み洗いした後、開閉蓋２０を、蝶番２１を中心に上方に向けて開け、筐体２の開口部１９を開放して回転篭１３内にその投入口１８より投入する。
【００２３】
前記ネル袋Ｎの投入は、前記回転篭１３が基台７上に設置した枠部材９に固定された高速モータ８の上向き傾斜したモータ軸１１の先端部に連結手段１２を介して取付けられ、筐体２の背の高さを含めて低く抑えられているために楽に行えて使い勝手がよい。
【００２４】
次いで、前記ネル袋Ｎの投入後、開閉蓋２０を閉じると、該開閉蓋２０の張出片２０′が筐体２側に設けた吸着体２０″に吸着して固定される。しかる後、前記筐体２の前面に設けたスイッチ２３を押す。これにより制御手段２４が働き、前記高速モータ８が起動して前記回転篭１３を回転させる。該回転篭１３は瞬時にトップスピードになって５〜１０秒程度でネル袋Ｎを半渇き状態まで絞って停止させる。
【００２５】
前記高速モータ８の回転中、前記基台７は振動吸収手段６により支持されているため、横振動にはゴム管６ａが対応し、縦振動にはコイルバネ６ｃが対応するから、筐体２を設置したカウンターにはその振動を伝えない。したがって、該カウンターでコーヒーを喫する者があっても違和感を与えないばかりでなく、コーヒーカップを鳴らすようなこともない。
【産業上の利用可能性】
【００２６】
本願装置は、ネルドリップ式のコーヒー抽出に使用するネル袋を、先の抽出のコーヒー滓を除去した後、揉み洗い（洗剤を使わない）して直ぐに次の抽出に使えるようにしたもので、コーヒー業界、喫茶店業界など産業上の利用可能性は高いものである。
【図面の簡単な説明】
【００２７】
【図１】本願機内を示す側面断面図である。
【図２】基台上に固定した枠部材の斜視図である。
【図３】振動吸収手段を示す拡大断面図である。
【図４】開閉蓋を示す筐体の外観斜視図である。
【符号の説明】
【００２８】
１  本願装置
２  筐体
２′  脚部材
２″  上面傾斜部
３  上位室
４  下位室
５  仕切り板
６  振動吸収手段
６ａ  チューブ状のゴム管
６ｂ、６ｂ′  接続部材
６ｃ  コイルバネ
６ｄ、６ｄ′  突起
７  基台
８  高速モータ
９  枠部材
１０  透孔
１１  モータ軸
１２  連結手段
１３  回転篭
１４  中心軸
１５  水切り穴
１６  鍔部
１７  錘
１８  投入口
１９  開口部
２０  開閉蓋
２０′  張出片
２０″  吸着体
２１  蝶番
２２  ブレーキ手段
２２ａ  摩擦板
２２ｂ  ソレノイド（電磁石）
２２ｃ  圧接板
２３  スイッチ
２４  制御手段
２５  メーンスイッチ
２６  収容タンク
２７  穴
Ｎ  ネル袋
【図１】
0006558892.tif 000002
【図２】
0006558892.tif 000003
【図３】
0006558892.tif 000004
【図４】
0006558892.tif 000005